(57)【要約】【課題】庫内の安定した湿度が得られる冷蔵庫を提供する。【解決手段】圧縮機２３、凝縮器２５、絞り装置２７とで冷凍サイクルを構成する庫内の外に配置された冷気循環式蒸発器１５と並列に配置された直冷式蒸発器２１を庫内に直接設ける。庫内には循環冷気を庫内に対して遮断又は取入れる冷気開閉制御弁１９を設ける一方、前記冷気開閉制御弁１９が循環冷気の取入れを遮断した時、直冷式蒸発器２１で庫内を直接冷却する。【選択図】図１
2007127394.tif 000002
【特許請求の範囲】
【請求項１】
圧縮機、凝縮器、絞り装置とで冷凍サイクルを構成する庫内の外に配置された冷気循環式蒸発器と、前記冷気循環式蒸発器と並列配置され庫内に直接設けられた直冷式蒸発器と、前記冷気循環式蒸発器で熱交換された循環冷気を庫内に対して遮断又は取入れる冷気開閉制御弁とを有し、前記直冷式蒸発器は、前記冷気開閉制御弁が循環冷気の取入れを遮断した時、庫内を直接冷却することを特徴とする冷蔵庫。
【請求項２】
圧縮機、凝縮器、絞り装置とで冷凍サイクルを構成する庫内の外に並列配置された冷蔵室用蒸発器及び冷凍室用蒸発器と、前記冷凍室用蒸発器と並列配置され庫内に直接設けられた直冷式蒸発器と、前記冷凍室用蒸発器で熱交換された循環冷気を庫内に対して遮断又は取入れる冷気開閉制御弁とを有し、前記直冷式蒸発器は、前記冷気開閉制御弁が循環冷気の取入れを遮断した時、庫内を直接冷却することを特徴とする冷蔵庫。
【請求項３】
前記直冷式蒸発器が直接設けられた庫内は、冷蔵室又は冷蔵室より小容積に作られた切替室となっていることを特徴とする請求項１記載の冷蔵庫。
【請求項４】
前記直冷式蒸発器が直接設けられた庫内は、冷蔵室より小容積に作られた切替室となっていることを特徴とする請求項２記載の冷蔵庫。
【請求項５】
前記直冷式蒸発器は、排水樋の上で庫内奥面に沿って配置されていることを特徴とする請求項１又は２記載の冷蔵庫。
【請求項６】
前記直冷式蒸発器は、排水樋の上で、庫内天井面に沿って配置されていることを特徴とする請求項１又は２記載の冷蔵庫。
【請求項７】
前記直冷式蒸発器は、排水樋の上で、庫内側面に沿って配置されていることを特徴とする請求項１又は２記載の冷蔵庫。
【発明の詳細な説明】
【技術分野】
【０００１】
本発明は、冷蔵庫に関する。
【背景技術】
【０００２】
現在の冷蔵庫にあっては、蒸発器によって熱交換された冷気を庫内へ送り込み、その庫内からの戻り冷気を再び蒸発器へ戻す循環を繰返すことで庫内冷却が行なわれる。
【０００３】
蒸発器は、圧縮機、凝縮器、絞り装置とで冷凍サイクルが構成され、蒸発器において熱交換された冷気は冷気循環用のファンにより、庫内を通り、再び蒸発器へ戻る循環を繰返すようになっている。
【発明の開示】
【発明が解決しようとする課題】
【０００４】
庫内冷却は、庫内を通過する循環冷気によって行なわれるようになるが、循環冷気が蒸発器へ戻る際に水分は、霜となって蒸発器表面に順次着霜していくため庫内は乾燥した状況におかれる。
【０００５】
庫内の乾燥した状況を解消するには、例えば、蒸発器を運転停止モードにしておき、冷気循環用ファンの運転により庫内からの戻り冷気が運転停止時の蒸発器を通る循環を繰返すことで行なう。この時、循環冷気は庫内を通過する時に冷気熱を放出するだけとなるため温度があがり蒸発器の通過時に霜を溶かすようになるが、溶けた水分は循環冷気とともに再び庫内へ戻る循環によって庫内の湿潤状態が得られる。反面、蒸発器の運転を再開すると、再び庫内の乾燥が始まるため、乾燥と湿潤との変化が大きくなり易く、安定した湿度が得られにくい問題があった。
【０００６】
そこで、本発明にあっては、庫内の安定した湿度が得られる冷蔵庫を提供することを目的としている。
【課題を解決するための手段】
【０００７】
前記目的を達成するために、本発明の第１にあっては、圧縮機、凝縮器、絞り装置とで冷凍サイクルを構成する庫内の外に配置された冷気循環式蒸発器と、前記冷気循環式蒸発器と並列配置され庫内に直接設けられた直冷式蒸発器と、前記冷気循環式蒸発器で熱交換された循環冷気を庫内に対して遮断又は取入れる冷気開閉制御弁とを有し、前記直冷式蒸発器は、前記冷気開閉制御弁が循環冷気の取入れを遮断した時、庫内を直接冷却することを特徴とする。
【０００８】
第２にあっては、圧縮機、凝縮器、絞り装置とで冷凍サイクルを構成する庫内の外に並列配置された冷蔵室用蒸発器及び冷凍室用蒸発器と、前記冷凍室用蒸発器と並列配置され庫内に直接設けられた直冷式蒸発器と、前記冷凍室用蒸発器で熱交換された循環冷気を庫内に対して遮断又は取入れる冷気開閉制御弁とを有し、前記直冷式蒸発器は、前記冷気開閉制御弁が循環冷気の取入れを遮断した時、庫内を直接冷却することを特徴とする。
【発明の効果】
【０００９】
本発明によれば、通常の運転モード時に直冷式蒸発器の運転を停止した状態で、冷気開閉制御弁を開とすれば、庫内及び蒸発器を通る循環冷気が得られるようになり、乾燥させた庫内冷却を行なうことができる。
【００１０】
一方、冷気開閉制御弁を閉として庫内への循環冷気が取入れを遮断し、直冷式蒸発器を運転モードとすれば、庫内湿度を確保したまま庫内を循環する自然対流によって庫内冷却を行うことができる。
【発明を実施するための最良の形態】
【００１１】
本発明にあっては、第１に、前記直冷式蒸発器が直接設けられた庫内を、冷蔵室又は冷蔵室より小容積に作られた切替室とする。
【００１２】
第２に、前記直冷式蒸発器が直接設けられた庫内を、冷蔵室より小容積に作られた切替室とする。
【００１３】
第３に、前記直冷式蒸発器を、排水樋の上で庫内奥面に沿って配置することで、排水樋による湿度の確保と、邪魔になることなく庫内を広く使えるようにする。
【００１４】
第４に、前記直冷式蒸発器を、排水樋の上で、庫内天井面に沿って配置することで排水樋による湿度の確保と広い範囲にわたって上から下へ自然に冷気が下りるようにする。
【００１５】
第５に、前記直冷式蒸発器を、排水樋の上で、庫内側面に沿って配置することで、庫内奥面への機能部品等の後付け作業が容易に行なえるようにする。
【実施例】
【００１６】
以下、図１乃至図１３の図面を参照しながら本発明の第１の実施形態について具体的に説明する。
【００１７】
図１は本発明にかかる冷蔵庫の庫内となる切替室内に直冷式蒸発器と冷気開閉制御弁とを設けた概要切断説明図、図２は冷凍サイクル図、図３は冷気開閉制御弁を開とした図１と同様の概要切断説明図、図４は冷蔵庫の概要正面図をそれぞれ示している。
【００１８】
図４において、冷蔵庫本体１は、上から順に冷蔵室３、野菜室５、冷凍室７を有し、その外に、並列配置された製氷室９と切替室１１が設けられている。
【００１９】
製氷室９と切替室１１は、図示の如く冷蔵室３より小容積に作られていて、製氷室９は氷を作る場所となっている。
【００２０】
切替室１１は、冷凍室−１７℃、チルド室０℃、ワイン冷却室＋８℃となるよう庫内へ入れる食料品に対応してプラス温度からマイナスの冷凍温度まで幅広く切替え可能となっている。庫内湿度も食料品に対応して乾燥した状態から湿度の高い湿潤状態まで得られるようになっており、幅広い使用が可能となる。
【００２１】
その具体例を、図１に基づき説明すると、図は上が冷蔵室３、下が切替室１１をそれぞれ示したものである。循環冷気が流れる後方の冷気通路１３には冷気循環式蒸発器となる冷蔵室用蒸発器１５とその冷気循環用ファン１７がそれぞれ設けられている。
【００２２】
切替室１１には冷気開閉制御弁１９と直冷式蒸発器２１が設けられ、直冷式蒸発器２１と冷蔵室用蒸発器１５の冷凍サイクル図を図２に示す。
【００２３】
冷凍サイクルは、圧縮機２３から吐出された冷媒が凝縮器２５、絞り装置２７から並列配置された一方の冷蔵室用蒸発器１５又は他方の直冷式蒸発器２１を通り、再び、圧縮機２３に戻る構造となっている。
【００２４】
直冷式蒸発器２１の上流には開閉弁２９が設けられ、開閉弁２９が閉の時、絞り装置２７からの冷媒が冷蔵室用蒸発器１５にのみ流れる運転モードとなる一方、直冷式蒸発器２１は運転停止モードにおかれる。また、開閉弁２９が開の時、絞り装置２７からの冷媒が冷蔵室用蒸発器１５及び直冷式蒸発器２１にそれぞれ流れ、いずれの蒸発器１５、２１も運転モードとなる。
【００２５】
冷気開閉制御弁１９は、前記切替室１１の取入口１１ａに対して開閉自在となっていて、前記開閉弁２９との関係は次のようになっている。開閉弁２９が閉の時、図３に示すように冷気開閉制御弁１９は取入口１１ａを閉とすることで、庫内となる冷蔵室３及び切替室１１内へ冷蔵室用蒸発器１５を通過した循環冷気が取入れられる。
【００２６】
開閉弁２９が開の時、図１に示すように冷気開閉制御弁１９は取入口１１ａを閉とすることで、切替室１１内への循環冷気の取入れが遮断される。
【００２７】
なお、切替室１１内へ取入れる循環冷気は、冷蔵室用蒸発器１５で熱交換された循環冷気となっているが、冷凍室７を冷却する冷凍室用蒸発器３１で熱交換された循環冷気であってもよい。
【００２８】
この実施形態の場合には、例えば、図５、図６、図７、図８の内、図５に示すように空気循環用ファン３３を備えた冷凍室用蒸発器３１を、冷蔵室用蒸発器１５と並列配置された２エバタイプとする一方、上流側に開閉弁２９を備えた直冷式蒸発器２１を前記冷凍室用蒸発器３１と並列配置した冷凍サイクル構造とする。また、切替室１１は直冷式蒸発器２１及び冷気開閉制御弁１９を有することは前記実施例と同様であるが、図６、図７、図８に示すように切替室１１を野菜室５と冷凍室７との間に設けるようにすることが望ましい。これにより、切替室１１は、野菜室５と仕切壁によって確実に仕切られ、冷凍室用蒸発器３１で熱交換された循環冷気が通る冷気通路３５と連通し合う構造となる。
【００２９】
したがって、例えば、図８に示すように冷気開閉制御弁１９を閉として循環冷気の取入れを遮断すれば、直冷式蒸発器２１による庫内湿度が確保された自然冷気循環によって庫内冷却が行なうことができる。
【００３０】
一方、切替室１１内に設けられた直冷式蒸発器２１は、図９、図１０に示すように場所をとらない平板状に形成された面状蒸発器となっていて、切替室１１の庫内奥面に沿って配置されている。直冷式蒸発器２１の下には排水樋３７が配置され、直冷式蒸発器２１で溶けた水滴は前記排水樋３７で受け止められることで、庫内に湿度を与える手段として機能する一方、規定以上に液面が達するとドレスホース３９を介して外へ排水されるようになっている。
【００３１】
この場合、直冷式蒸発器２１を取り付ける位置としては、図１１に示すように庫内天井面に、あるいは、図１２に示すように庫内側面に沿ってそれぞれ設ける手段がある。
【００３２】
庫内側面に直冷式蒸発器２１を設ける手段にあっては、取付け完了後に庫内奥面への機能部品の後付け作業が行なえる利点がある。
【００３３】
また、図１１に示す庫内天井面に直冷式蒸発器２１を設ける手段にあっては、庫内の天井から広い領域にわたって冷気を自然に下りてくるようにできる。この場合、直冷式蒸発器２１は、平板状の面状蒸発器の形状となっているが冷媒が流れるパイプと冷却用フィンの組合せからなる一般的な蒸発器を採用することも可能である。この実施形態の場合には設備コストの面で大変好ましいものとなる。
【００３４】
このように構成された冷蔵庫によれば、図３に示すように通常の運転モード時において直冷式蒸発器２１の運転を停止した状態で、冷気開閉制御弁１９を開とすれば、切替室１１及び蒸発器１５を通る循環冷気が得られるようになり、乾燥させた庫内冷却を行なうことができる。
【００３５】
一方、冷気開閉制御弁１９を閉として庫内への循環冷気が取入れを遮断し、直冷式蒸発器２１を運転モードとすれば、庫内湿度を確保したまま循環する自然対流冷気によって庫内冷却を行うことができる。
【００３６】
図１３から図１６は、直冷式蒸発器２１を冷蔵室３内に直接設けた第２の実施形態を示したものである。
【００３７】
冷蔵室３の庫内に直冷式蒸発器２１と冷気開閉制御弁１９を設けるようにするものである。
【００３８】
直冷式蒸発器２１は上流側に開閉弁２９を備えるとともに冷蔵室用蒸発器１５と並列接続されている。冷気開閉制御弁１９は取入口１１ａを開又は閉に切換制御するもので、開閉弁２９と冷気開閉制御弁１９の関係は第１の実施形態と同一である。
【００３９】
したがって、通常運転時にあっては図１５に示すように取入口１１ａを開として冷蔵室用蒸発器１５で熱交換された冷気を冷蔵室３を始めとして切替室１１、野菜室５等を通過させた後、再び冷蔵室用蒸発器１５へ戻る循環を繰返すことで乾燥した庫内冷却が得られる。
【００４０】
一方、冷気開閉制御弁１９を図１６の如く閉とし直冷式蒸発器２１を運転モードとすることで、庫内は直冷式蒸発器２１による庫内を循環する自然冷気により庫内湿度がほぼ一定に確保された状態で庫内冷却を行なうことができる。
【図面の簡単な説明】
【００４１】
【図１】本発明にかかる冷蔵庫の切替室内に直冷式蒸発器と冷気開閉制御弁とを設けた概要切断説明図。
【図２】切替室内に冷蔵室用蒸発器で熱交換された循環冷気を取入れたり、又は遮断できるようにした時の冷凍サイクル図。
【図３】切替室の冷気開閉制御弁が開の状態を示した図１と同様の概要切断説明図。
【図４】冷蔵庫の概要正面図。
【図５】切替室内に冷蔵室用蒸発器で熱交換された循環冷気を取入れたり又は遮断できるようにした時の冷凍サイクル図。
【図６】図５の冷凍サイクルを備えた冷蔵庫の概要正面図。
【図７】冷気開閉制御弁が開で冷凍室用蒸発器で熱交換された循環冷気が取入口から取入れられる状態を示した概要切断説明図。
【図８】冷気開閉制御弁が閉で、循環冷気の取入れを遮断した状態を示す概要切断説明図。
【図９】直冷式蒸発器を庫内奥面に設けた説明斜視図。
【図１０】図９のＡ−Ａ線概要断面説明図。
【図１１】直冷式蒸発器を庫内天井面に設けた概要説明図。
【図１２】直冷式蒸発器を庫内側面に設けた概要説明図。
【図１３】直冷式蒸発器を冷蔵室用蒸発器に並列接続した第２の実施形態を示した冷凍サイクル図。
【図１４】第２の実施形態を示した冷蔵庫の概要正面図。
【図１５】冷蔵室内に直冷式蒸発器を配置する一方、冷気開閉制御弁を開として循環冷気を取入れた第２の実施形態の概要説明図。
【図１６】冷蔵室内に直冷式蒸発器を配置する一方、冷気開閉制御弁を閉として循環冷気の取入れを遮断した第２の実施形態を示した概要説明図。
【符号の説明】
【００４２】
３    冷蔵室（庫内）
５    野菜室
７    冷凍室
９    製氷室
１１    切替室（庫内）
１１ａ    取入口
１３    冷気通路
１５    冷蔵室用蒸発器（冷気循環式蒸発器）
１７    冷気循環ファン
１９    冷気開閉制御弁
２１    直冷式蒸発器
２７    絞り装置
２９    開閉弁
３１    冷凍室用蒸発器
３７    排水樋
【図１】
2007127394.tif 000003
【図２】
2007127394.tif 000004
【図３】
2007127394.tif 000005
【図４】
2007127394.tif 000006
【図５】
2007127394.tif 000007
【図６】
2007127394.tif 000008
【図７】
2007127394.tif 000009
【図８】
2007127394.tif 000010
【図９】
2007127394.tif 000011
【図１０】
2007127394.tif 000012
【図１１】
2007127394.tif 000013
【図１２】
2007127394.tif 000014
【図１３】
2007127394.tif 000015
【図１４】
2007127394.tif 000016
【図１５】
2007127394.tif 000017
【図１６】
2007127394.tif 000018